(57)【要約】【課題】カプセルベッドを始めとする種々の個室空間を構成するユニットルームとして、組み立てならびに設置場所への据え付けを少ない労力で極めて能率よく短時間で行え、個室空間の気密性、光遮断性、防音性、断熱性等の面でも優れるものを提供する。【解決手段】ルーム四隅の柱材ｐ１と梁材ｇ１，ｇ２とで横長直方体形状のルーム骨格２が形成され、ルーム骨格２に嵌装されたパネル材３，４によって天井部ＣＥ及び床部ＦＬと壁部ＳＷ，ＲＷが構成され、柱材ｐ１及び梁材ｇ１，ｇ２が長手方向に連続する溝部１１を有する押出型材１からなり、天井部ＣＥ及び壁部ＳＷ，ＲＷのパネル材が四周に面方向に沿う突縁部３１、３２を有する合成樹脂製又はＦＲＰ製の中空パネル材３からなり、中空パネル材３の突縁部３１、３２が押出型材１の溝部１１に挿嵌されてなる。【選択図】図１
2010242478.tif 000002
【特許請求の範囲】
【請求項１】
ルーム四隅の柱材とこれら柱材の上端部間及び下端部間に橋架する梁材とで横長直方体形状のルーム骨格が形成され、このルーム骨格に嵌装されたパネル材によって天井部及び床部と壁部が構成され、
前記柱材及び梁材が長手方向に連続する溝部を有する押出型材からなると共に、前記天井部及び壁部のパネル材が四周に面方向に沿う突縁部を有する合成樹脂製又はＦＲＰ製の中空パネル材からなり、これら中空パネル材の前記突縁部が前記押出型材の溝部に挿嵌されてなるユニットルーム。
【請求項２】
前記押出型材が前記中空パネル材の突縁部に対する挿嵌用と非挿嵌用の溝部を備え、その非挿嵌用の溝部が奥広に構成され、前記ルーム骨格において相互に直角に配置する押出型材の端部同士が両者の前記非挿嵌用の溝部にスライド挿嵌するねじ止め金具を介して連結されてなる請求項１に記載のユニットルーム。
【請求項３】
前記中空パネル材の少なくとも一方の平行する突縁部が先太に形成され、この先太の突縁部に対応する前記押出型材の溝部が奥広で該突縁部の先側の厚みよりも狭い開放幅を有し、この奥広の溝部に前記先太の突縁部が一端側からスライド挿嵌されてなる請求項１又は２に記載のユニットルーム。
【請求項４】
前記ルーム骨格における出入口開口部を設ける側面を前側面として、この前側面と後側面の四つ角部にそれぞれ当該ルーム骨格を構成する前後方向の梁材の端面が位置し、その各梁材の内部に挿通された連結ロッドの両端のねじ部が前後の端面に各々当接させた鋼材製受け材を貫通すると共に、前後のねじ部に外側からナットが螺合緊締されてなる請求項１〜３のいずれかに記載のユニットルーム。
【請求項５】
前側面の前記鋼材製受け材が、ルーム骨格における前記押出型材からなる矩形枠部の前面を覆う矩形化粧枠を構成してなる請求項４に記載のユニットルーム。
【請求項６】
前記ルーム骨格の柱材及び梁材が複数条の溝部を有する同一断面形状の押出型材からなる請求項１〜５のいずれかに記載のユニットルーム。
【請求項７】
前記押出型材は、断面外形が縦横比２／１の長方形をなし、その幅狭の各側面に１条の前記溝部を有すると共に、広幅の各側面に２条の前記溝部を有してなる請求項１〜６のいずれかに記載のユニットルーム。
【請求項８】
前記押出型材は、幅方向中央部に前記溝部に対して非連通の中空部を有してなる請求項１〜７のいずれかに記載のユニットルーム。
【請求項９】
出入口開口部に、前記押出型材の溝部をガイドレールとして開閉するシャッターが設けられてなる請求項１〜８のいずれかに記載のユニットルーム。
【請求項１０】
請求項１〜９のいずれかに記載のユニットルームの２基が上下２段に設置され、上段のユニットルームにおける床部側に耐火ボードが配置されてなるユニットルームの二段設置構造。
【請求項１１】
前記耐火ボードが木質合板の少なくとも下面側に無機質断熱層を設けたものからなる請求項１０に記載のユニットルームの二段設置構造。
【請求項１２】
前記耐火ボードが床部のパネル材を構成してなる請求項１０又は１１に記載のユニットルームの二段設置構造。
【請求項１３】
上段のユニットルームのルーム骨格における下部梁材の下面側と、下段のユニットルームのルーム骨格における上部梁材の上面側とに前記溝部を有し、両溝部間に介在する支持金具によって上段のユニットルームが浮かせた状態で下段のユニットルームに支承されてなる請求項１０〜１２のいずれかに記載のユニットルームの二段設置構造。
【請求項１４】
ユニットルームがカプセルベッドである１０〜１３のいずれかに記載のユニットルームの二段設置構造。
【発明の詳細な説明】
【技術分野】
【０００１】  この発明は、簡易宿泊用のカプセルベッドを始めとして、就寝、休憩、災害時の一次避難、特殊環境での居住等に利用する個室空間を構成するユニットルームと、このユニットルームの二段設置構造に関する。
【背景技術】
【０００２】  一般的に、簡易宿泊用のカプセルベッドは、一面に出入口の開口部を設けた横長の略直方体形状をなすＦＲＰ（繊維強化プラスチック）製のカプセル本体と、このカプセル本体を据え付けるためのアングル材やチャンネル材等の構造用型鋼材からなる支持フレームとで構成されている。そのカプセル本体としては、出入口周囲が一体成形物からなる矩形の開口周枠にて形成され、胴部が幅方向中間部で二分した形の左右２枠材、もしくは各々半割した天井部又は床部を含む左右側枠と床枠又は天井枠の３枠材に分割構成されたものが多用されている。【０００３】  そして、カプセルベッドの組み立てに際し、予め支持フレームの型鋼材を直方体の各辺をなすように縦横及び前後に組み付けておき、その内側に前記の各枠材を所定順序で搬入してカプセル本体を組み立てる方法（特許文献１）、先に組み立てたカプセル本体の胴部の外側に直方体の各辺をなす形で支持フレームの型鋼材を組み付け、更に該支持フレームに出入口フロントマスク（開口周枠）及び外装パネルを取り付ける方法（特許文献２）、二段設置構造において四隅の支柱と上下２段の根太組よりなる支持フレームを構築しておき、各根太組上に組立済みのカプセル本体を据え付ける方法（特許文献３）等が採用されている。【０００４】  また、近年において、長手方向両端の端部パネルと、左右側壁の各前後２枚ずつの側部パネルと、各々複数枚の天井パネル及び床パネルとでカプセル本体を構成すると共に、端部パネル又は側部パネルの位置に出入口の開口部を設けたり（特許文献４）、カプセル本体の平面視の縦横比を１：２とし、その縦寸法に等しい幅のパネルを組み合わせてカプセル本体を構成し（特許文献５）、もって構成部材（パネル）のサイズを小さくすると共に種類を少なくすることも提案されている。
【先行技術文献】
【特許文献】
【０００５】
【特許文献１】  実公平１−１３７１２号公報
【特許文献２】  実公平２−１５９５６号公報
【特許文献３】  実公平１−３９３２９号公報
【特許文献４】  特開平１１−１８２０７８号公報
【特許文献５】  特開２００５−２４８５１５号公報
【発明の開示】
【発明が解決しようとする課題】
【０００６】  しかしながら、上記提案のものを含めて従来のカプセルベッドでは、カプセル本体及び支持フレームの各々の組み立てと、両者を組み付けて一体化する作業に非常に手間がかかり、設置場所への据え付け作業を含めて多大な労力及び時間を費やすという問題があり、またカプセル本体としての気密性、防音性、断熱性等の面でも充分ではなかった。【０００７】  この発明は、上述の事情に鑑みて、前記カプセルベッドを始めとする種々の個室空間を構成するユニットルームとして、その組み立てならびに設置場所への据え付けを少ない労力で極めて能率よく短時間で行えると共に、個室空間の気密性、光遮断性、防音性、断熱性等の面でも優れるものを提供することを目的としている。
【課題を解決するための手段】
【０００８】  上記目的を達成するために、請求項１の発明に係るユニットルームは、ルーム四隅の柱材とこれら柱材の上端部間及び下端部間に橋架する梁材とで横長直方体形状のルーム骨格が形成され、このルーム骨格に嵌装されたパネル材によって天井部及び床部と壁部が構成され、前記柱材及び梁材が長手方向に連続する溝部を有する押出型材からなると共に、前記天井部及び壁部のパネル材が四周に面方向に沿う突縁部を有する合成樹脂製又はＦＲＰ製の中空パネル材からなり、これら中空パネル材の前記突縁部が前記押出型材の溝部に挿嵌されてなる構成としている。【０００９】  請求項２の発明は、上記請求項１のユニットルームにおいて、押出型材が記中空パネル材の突縁部に対する挿嵌用と非挿嵌用の溝部を備え、その非挿嵌用の溝部が奥広に構成され、前記ルーム骨格において相互に直角に配置する押出型材の端部同士が両者の前記非挿嵌用の溝部にスライド挿嵌するねじ止め金具を介して連結されてなる構成としている。【００１０】  請求項３の発明は、上記請求項１又は２のユニットルームにおいて、中空パネル材の少なくとも一方の平行する突縁部が先太に形成され、この先太の突縁部に対応する押出型材の溝部が奥広で該突縁部の先側の厚みよりも狭い開放幅を有し、この奥広の溝部に先太の突縁部が一端側からスライド挿嵌されてなる構成としている。【００１１】  請求項４の発明は、上記請求項１〜３のいずれかのユニットルームにおいて、ルーム骨格における出入口開口部を設ける側面を前側面として、この前側面と後側面の四つ角部にそれぞれ当該ルーム骨格を構成する前後方向の梁材の端面が位置し、その各梁材の内部に挿通された連結ロッドの両端のねじ部が前後の端面に各々当接させた鋼材製受け材を貫通すると共に、前後のねじ部に外側からナットが螺合緊締されてなる構成としている。【００１２】  請求項５の発明は、上記請求項４のユニットルームにおいて、前側面の鋼材製受け材が、ルーム骨格における押出型材からなる矩形枠部の前面を覆う矩形化粧枠を構成してなるものとしている。【００１３】  請求項６の発明は、上記請求項１〜５のいずれかのユニットルームにおいて、ルーム骨格の柱材及び梁材が複数条の溝部を有する同一断面形状の押出型材からなる構成としている。【００１４】  請求項７の発明は、上記請求項１〜６のいずれかのユニットルームにおいて、押出型材は、断面外形が縦横比２／１の長方形をなし、その幅狭の各側面に１条の溝部を有すると共に、広幅の各側面に２条の溝部を有してなる構成としている。【００１５】  請求項８の発明は上記請求項１〜７のいずれかのユニットルームにおいて、押出型材は、幅方向中央部に前記溝部に対して非連通の中空部を有してなる構成としている。【００１６】  請求項９の発明は、上記請求項１〜８のいずれかのユニットルームにおいて、出入口開口部に、押出型材の溝部をガイドレールとして伸縮開閉する蛇腹式シャッターが設けられてなる構成としている。【００１７】  請求項１０の発明に係るユニットルームの二段設置構造は、上記請求項１〜９のいずれかのユニットルームの２基が上下２段に設置され、上段のユニットルームにおける床部側に耐火ボードが配置されてなる構成としている。���００１８】  請求項１１の発明は、上記請求項１０のユニットルームの二段設置構造において、前記耐火ボードが木質合板の少なくとも下面側に無機質断熱層を設けたものからなる構成としている。【００１９】  請求項１２の発明は、上記請求項１０又は１１のユニットルームの二段設置構造において、耐火ボードが床部のパネル材を構成してなるものとしている。【００２０】  請求項１３の発明は、上記請求項１０〜１３のいずれかのユニットルームの二段設置構造において、上段のユニットルームのルーム骨格における下部梁材の下面側と、下段のユニットルームのルーム骨格における上部梁材の上面側とに前記溝部を有し、両溝部間に介在する支持金具によって上段のユニットルームが浮かせた状態で下段のユニットルームに支承されてなる構成としている。【００２１】  請求項１４の発明は、上記請求項１０〜１３のいずれかのユニットルームの二段設置構において、ユニットルームがカプセルベッドである構成としている。
【発明の効果】
【００２２】  請求項１の発明に係るユニットルームは、長手方向に連続する溝部を有する押出型材からなる横長直方体形状のルーム骨格に、パネル材を嵌装して天井部及び床部と壁部を構成するものであるから、従来のようにルーム本体と支持フレームとを別個に構築して組み付ける必要がない上、天井部及び壁部のパネル材が四周に突縁部を有する合成樹脂製又はＦＲＰ製の中空パネル材からなり、その突縁部を押出型材の溝部に挿嵌する構造であるから、その組み立てならびに設置場所への据え付けを少ない労力で容易に極めて能率よく短時間で行える。しかも、天井部及び壁部が中空パネル材からなるため、高い防音性及び断熱性が得られることに加え、該パネル材の四周の突縁部が押出型材の溝部に挿嵌されるから、該パネル材の嵌合部分に隙間ができず、室内外間の光漏れや隙間風が完全に防止され、もって個室空間として非常に優れた居住性を確保できる。また、押出型材の溝部や中空部を利用してルーム内の様々な部位への配線を露呈しない形で行えると共に、ルーム骨格の各部の押出型材ならびに各面の中空パネル材の共通化により、部材コスト及び部材管理コストの低減を図り得る。【００２３】  請求項２の発明によれば、ルーム骨格において相互に直角に配置する押出型材の端部同士を連結固定する際、該押出型材に対して穴明け、切除、切込み、ねじ切り等の機械的加工を施す必要がなく、押出型材相互の奥広の溝部にスライド挿嵌するねじ止め金具を利用してねじ締め操作だけで極めて簡単且つ確実に連結固定できる。【００２４】  請求項３の発明によれば、中空パネル材の先太の突縁部が押出型材の奥広の溝部に一端側からスライド挿嵌されているから、人が強く凭れ掛かったりしてパネル面に大きな力が加わっても、当該パネル材がルーム骨格から外れる懸念がない。【００２５】  請求項４の発明によれば、ルーム骨格の出入口開口部がある前側面と後側面の四つ角部に前後方向の梁材の端面が位置し、その各梁材の内部に挿通した連結ロッドの両端のねじ部を鋼材製受け材に貫通して外側からナットで緊締するから、該連結ロッドを介してルーム骨格の組み付け強度が格段に増大すると共に、前側面の鋼材製受け材を利用して把手、ステップ、ナンバープレート等の付属部品を強固に取り付けることが可能となる。【００２６】  請求項５の発明によれば、前側面の鋼材製受け材が、ルーム骨格における押出型材からなる矩形枠部の前面を覆う矩形化粧枠を構成するから、該矩形化粧枠によって出入口周囲の外観を向上させる意匠効果とルーム骨格の補強効果が得られる。【００２７】  請求項６の発明によれば、ルーム骨格の柱材及び梁材が複数条の溝部を有する同一断面形状の押出型材からなるため、ルーム骨格全体を単一の原材より安価に構築できると共に、組み立てに際して押出型材の長さを合わすだけで前後左右及び上下の使い分けを行わずに済むから、組立作業の労力が大幅に軽減する。【００２８】  請求項７の発明によれば、押出型材は、の断面外形が縦横比２／１の長方形で、幅狭の各側面に１条の溝部、広幅の各側面に２条の溝部を有するから、ルーム骨格の構成部位による利用溝部の向き及び溝部本数の違いに容易に対応できると共に、反転しても同形になるから、ルーム���格の組み立てに際して使い勝手がよい。【００２９】  請求項８の発明によれば、押出型材の幅方向中央部に溝部に対して非連通の中空部を有するから、該中空部を前記連結ロッドの挿通部や配線空間として利用できると共に、当該押出型材自体も高強度になる。【００３０】  請求項９の発明によれば、出入口開口部に、押出型材の溝部をガイドレールとして開閉するシャッターを簡単に付設できる。【００３１】  請求項１０の発明によれば、上記請求項１〜９のいずれかのユニットルームの上下２段の設置状態において、上段のユニットルームの床部側に配置した耐火ボードにより、火災時の上下のユニットルーム間での類焼が阻止される。【００３２】  請求項１１の発明によれば、上記耐火ボードが木質合板の少なくとも下面側に無機質断熱層を設けたものからなるため、良好な類焼防止機能と耐火ボードとしての強度が得られる。【００３３】  請求項１２の発明によれば、上記耐火ボードが上段のユニットルームの床パネルを兼用るから、それだけ部材コストが低減すると共に、ユニットルームの組立製作の手間も少なくなる。【００３４】  請求項１３の発明によれば、上下のユニットルームのルーム骨格における押出型材からなる梁材の溝部を利用する支持金具により、上段のユニットルームを浮かせた状態で下段のユニットルームに簡単且つ確実に支承させることができる。【００３５】  請求項１４の発明によれば、カプセルベッドの上下２段の設置構造が提供される。
【図面の簡単な説明】
【００３６】
【図１】この発明の一実施形態に係るユニットルームの斜視図である。
【図２】同ユニットルームのルーム骨格を概略的に示す斜視図である。
【図３】同ルーム骨格に用いる押出型材の断面図である。
【図４】同ルーム骨格の構築に用いる連結具を例示し、（ａ）は外付けＬ字金具の斜視図、（ｂ）は溝入りナットの斜視図、（ｃ）は二連型の溝入りナットの斜視図である。
【図５】外付けＬ字金具と溝入りナットによる連結構造を示す断面図である。
【図６】同ルーム骨格の構築に用いるインナージョイントの斜視図である。
【図７】同ルーム骨格における前側左下部の連結構造を示す正面図である。
【図８】図７のＶ−Ｖ線の断面矢視図である。
【図９】同ルーム骨格の前後方向中間部における柱材と梁材の連結構造を示す縦断面図である。
【図１０】同ユニットルームに用いる中空パネル材を示し、（ａ）は正面図、（ｂ）は（ａ）のＸ−Ｘ線の断面矢視図：（ｃ）は（ａ）のＹ−Ｙ線の断面矢視図である。
【図１１】同ユニットルームの左側上部の縦断正面図である。
【図１２】図１１のＺ−Ｚ線の断面矢視図である。
【図１３】同ユニットルームの側壁部中央近傍の横断面図である。
【図１４】二段設置構造の上段側に用いる同ユニットルームの左側下部の縦断正面図である。
【図１５】二段設置構造の下段側に用いる同ユニットルームの左側下部の縦断正面図である。
【図１６】同ユニットルームにおける連結シャフトの取付状態を示し、（ａ）は前側上部の一部破断側面図、（ｂ）は後側上部の一部破断側面図、（ｃ）は後側上部の背面図である。
【図１７】上下二段で且つ左右二列に設置した同ユニットルームを示し、（ａ）は正面図、（ｂ）は前部側の側面図である。
【図１８】二段設置構造における上下の同ユニットルームの積重ね状態を示し、（ａ）は概略正面図、（ｂ）は左側要部の拡大正面図、（ｃ）は前側中央部の拡大縦断側面図である。
【図１９】この発明の他の実施形態に係る二段設置構造のユニットルームを示し、（ａ）は上段側を主として示す正面図、（ｂ）は上段側の平面図である。
【発明を実施するための形態】
【００３７】  以下に、この発明をカプセルベッドとして用いるユニットルームに適用した実施形態について、図面を参照して具体的に説明する。
【００３８】  図１に示すユニットルームＲは、長手方向一端側（以下、前側とする）を出入口開口部ＥＮとした横長の箱型をなし、アルミニウム又はその合金の押出型材１にて横長直方体形状に構築されたルーム骨格２に、合成樹脂ブロー成形品の中空パネル材３を嵌装して天井部ＣＥと左右の側壁部ＳＷ及び後壁部ＲＷ（図１１参照）が構成されると共に、床パネル材４を嵌装して床部ＦＬが構成され、また出入口開口部ＥＮの周囲の押出型材１からなる矩形枠部の前面には正方形の化粧枠５が取り付けられている。
【００３９】  ルーム骨格２は、図２に概略的に示すように、ルーム四隅の４本の柱材ｐ１と、これらの上端部間及び下端部間に前後方向に沿って橋架する４本の長尺の梁材ｇ１と、同じく左右方向に沿って橋架する４本の短尺の梁材ｇ２とで横長直方体の枠体を構成しており、その前後方向中間位置には各２本の中間柱材ｐ２及び中間梁材ｇ３が長尺の梁材ｇ１間に配置し、更に出入口開口部ＥＮの下部には短尺の梁材ｇ２上に重なる形で幕板用梁材ｇ４が配置している。
【００４０】  そして、これらの柱材ｐ１，Ｐ２、梁材ｇ１〜ｇ４は断面の縦横比が１／２の同じ押出型材１からなり、前後方向に沿う長尺の梁材ｇ１に対して柱材ｐ１，ｐ２及び梁材ｇ２，ｇ３が略半分の長さになり、幕板用梁材ｇ４は梁材ｇ２，ｇ３よりも若干短かくなっている。また、梁材ｇ１，ｇ２，ｇ４はいずれも広幅側面を垂直にしているが、中間柱材ｇ３は広幅側面が水平になっており、且つ前後方向に沿う左右上下の４本の梁材ｇ１は前後の両端面１ａが露呈するように組み付けられている。一方、ルーム四隅の柱材ｐ１は広幅側面を前後方向に向けているが、中間柱材ｐ２は広幅側面を左右方向に向けている。
【００４１】  柱材ｐ１，Ｐ２、梁材ｇ１〜ｇ４を構成する押出型材１は、図３に示すように、両側の広幅側面に各２条、両側の狭幅側面に各１条で合計６条の長手方向に連続する溝部１１を有すると共に、断面中央部分がこれら溝部１１とは非連通の中空部１０をなしている。そして、６条の溝部１１は、同じ形状及び寸法に設定され、開口縁の両側から対向状に突出した突縁部１１ａによって奥広になっている。また、中空部１０の内側には、仮想円１０ａを取囲むように四方から中心に向けて突出した断面Ｔ字形の突条１２が一体形成されている。
【００４２】  柱材ｐ１，Ｐ２及び梁材ｇ１〜ｇ４の相互に直角に配置する端部同士は、これらを構成する押出型材１の相互の溝部１１を利用し、該溝部１１にスライド挿嵌するねじ止め金具を介したねじ止め方式で連結されている。このねじ止め方式による連結には、例えば、図４（ａ）の外付けＬ字金具６とねじ止め金具としての同図（ｂ）（ｃ）の溝入りナット７Ａ又は二連型の溝入りナット７Ｂとの組み合わせ、図６で示すＬ字形のインナージョイント８、図９で示すＬ字形当て板２１と前記同様の溝入りナット７Ａ又は７Ｂとの組み合わせ等が採用される。
【００４３】  図４（ａ）で示す外付けＬ字金具６は、直角に配置した一対の帯板状の側片部６１，６１と、これらの中間部を結ぶ傾斜片６２との間で直角二等辺三角形枠６０を構成し、各側片部６１の先端側にねじ挿通孔６３を有すると共に、傾斜片６２の内面側にＣ字形のビスホール６４が形成されている。同図（ｂ）で示す溝入りナット７Ａは、平面視略正方形で側面視略逆台形の駒状をなし、上面側中央の矩形凸部７１の両側に段部７２が形成されると共に、中心位置に上下に透通するねじ孔７０を備えている。また、同図（ｃ）で示す二連型の溝入りナット７Ｂは、前記溝入りナット７Ａの２個が一体化した形態であり、平面視略長方形で側面視略逆台形のブロック状をなし、上面側中央の矩形凸部７１に２個のねじ孔７０が形成されている。しかして、両溝入りナット７Ａ，７Ｂは、その矩形凸部７１の幅が押出型材１における溝部１１の開放幅より若干狭いが、両側の段部７２での全体幅が該溝部１１の開放幅よりも広く、図５に示すように、該溝部１１に対して矩形凸部７１が開放縁間に挟まる形で押出型材１の一端側からスライド挿嵌できるように構成されている。
【００４４】  図５は、押出型材１の溝部１１にスライド挿嵌させた溝入りナット７Ａ（又は７Ｂ）を利用し、該溝部１１の外側に配置した外付けＬ字金具６をねじ止めした状態を示す。すなわち、該溝部１１の外側に外付けＬ字金具６の側片部６１を当てがい、そのねじ挿通孔６３にワッシャ６６を介して挿通した固定ねじ６６を溝入りナット７Ａ（又は７Ｂ）のねじ孔７０に螺挿して締め付けることにより、外付けＬ字金具６の側片部６１と溝入りナット７Ａ（又は７Ｂ）の段部７２との間で溝部１１の突縁部１１ａが挟着され、もって押出型材１に外付けＬ字金具６が固定される。
【００４５】  図６に示すインナージョイント８は、直角に配置した一対の軸状の側片８１，８２に、その直角配置の面内に軸方向が沿う各々２つのねじ孔８０を有すると共に、該ねじ孔８０のない両側面に凸条部８３，８４が形成されている。なお、側片８１の凸条部８３と側片８２の凸条部８４とは不連続になっている。しかして、両側片８１，８２は、その幅が押出型材１における溝部１１の開放幅より若干狭いが、両側の凸条部８３，８４での全体幅が該溝部１１の開放幅よりも広くなり、溝入りナット７Ａ，７Ｂと同様に該溝部１１に対して押出型材１の一端側からスライド挿嵌できるように構成されている。
【００４６】  図７はルーム骨格２の前側左下部を示す。ここでは、前後方向の梁材ｇ１の前端部が柱材ｐ１の下端部と左右方向の梁材ｇ２の左端部とにそれぞれがインナージョイント８を介してと連結すると共に、柱材ｐ１の下端部と幕板用梁材ｇ４の左端部とが外付けＬ字金具６及び溝入りナット７Ａを介して連結している。インナージョイント８による連結は、図８でも示すように、まず前後方向の梁材ｇ１を構成する押出型材１の溝部１１に、一方の側片８１を露呈した端面１ａから挿嵌し、その各ねじ孔８０にロックねじ８５を螺挿して締め付ける。この締め付けでロックねじ８５の先端が溝部１１の内底を押圧することにより、該側片８１の両側の凸条部８３の側面が溝部１１の突縁部１１ａに押接し、もって該側片８１が溝部１１に固定されるから、インナージョイント８は他方の側片８２が溝部１１から直立した状態で当該押出型材１に固定される。次に、該インナージョイント８の直立している他方の側片８２を、連結すべき柱材ｐ１又は梁材ｇ２を構成する押出型材１の溝部１１に端面１ａから挿嵌し、同様に各ねじ孔８０にロックねじ８５を螺挿して締め付けることにより、該側片８２の両側の凸条部８４の側面が溝部１１の突縁部１１ａに押接し、もって該側片８２が溝部１１に固定されるから、前後方向の梁材ｇ１と左右方向の梁材ｇ２又は柱材ｐ１とが連結されることになる。なお、このような連結構造は、ルーム骨格２の前側右下部、前側の左右上部、後側の左右上部、後側の左右下部でも採用されている。
【００４７】  図９はルーム骨格２の長手方向中間部の右側下部を示す。ここでは、前後方向の梁材ｇ１と中間柱材ｐ２及び中間梁材ｇ３とが、Ｌ字形当て板２１と溝入りナット７Ａ（又は７Ｂ）との組み合わせによって連結されている。そのＬ字形当て板２１は、中間柱材ｐ２の側面下部から梁材ｇ１の側面に当接する垂直片２１ａと、梁材ｇ１の底面から中間梁材ｇ３の底面右端部に当接する水平片２１ｂとでＬ字形をなし、これら梁材ｇ１，ｇ３及び柱材ｐ２の当接面にある各溝部１１毎に対応した各一対のねじ挿通孔２０を有しており、各ねじ挿通孔２０に挿通した皿ねじ２２を各溝部１１に予め挿嵌した溝入りナット７Ａ（又は７Ｂ）のねじ孔７０に螺合緊締することにより、梁材ｇ１，ｇ３及び柱材ｐ２を連結している。このような連結構造は、ルーム骨格２の長手方向中間部の左側下部及び左右上部でも採用されている。
【００４８】  ユニットルームＲの天井部ＣＥと左右の側壁部ＳＷ及び後壁部ＲＷを構成する中空パネル材３は、図１０（ａ）に示すように、略正方形の中空厚板状をなすパネル本体部３０の周囲に、厚みの薄い突縁部３１，３２が一体形成されている。その一方の平行する突縁部３１，３１は同図（ｂ）に示すように平坦であるが、他方の平行する突縁部３２，３２は同図（ｃ）に示すように縦断面で先端側が膨らんだ先太に形成されている。そして、パネル本体部３０の厚みはルーム骨格２に使用される押出型材１の狭幅側面の幅と略等しく、また平坦な突縁部３１は該押出型材１の溝部１１に対して垂直に出入し得る厚みになっている。しかるに、先太の突縁部３２は、括れた根元側３２ａの厚みが押出型材１の溝部１１の開放幅よりも小さいが、膨らんだ先端側の厚みが該溝部１１の開放幅よりも大きいことから、該溝部１１に対して一端側からスライド挿嵌できるが、垂直には出入不能になっている。
【００４９】  天井部ＣＥと左右の側壁部ＳＷは各２枚の中空パネル材３を前後に並べる形で構成され、また後壁部ＲＷは１枚の中空パネル材３にて構成されるが、いずれの中空パネル材３もルーム骨格２を構成する周囲の押出型材１の溝部１１に四周の突縁部３１，３２を挿嵌している。しかして、図１０〜図１２に示すように、天井部ＣＥ及び左右の側壁部ＳＷを構成する中空パネル材３は、前後方向に沿う梁材ｇ１の溝部１１に対して先太の突縁部３２を離脱不能に挿嵌すると共に、柱材ｐ１，ｐ２及び左右方向の梁材ｇ２，ｇ３の溝部１１に対して平坦な突縁部３１を挿嵌している。また、後壁部ＲＷを構成する中空パネル材３は、左右方向に沿う上下の梁材ｇ２に対して先太の突縁部３２を離脱不能に挿嵌すると共に、左右の柱材ｐ１の溝部１１に対して平坦な突縁部３１を挿嵌している。
【００５０】  一方、床パネル材４としては、上記同様の中空パネル材３も使用可能であるが、耐荷重強度面より木質合板（コンパネ）等の中実平板材が好適である。また、二段設置構造の上段側のユニットルームの場合には、石膏ボードの如き耐火ボードを床パネル材４に兼用してもよい。このような上段側のユニットルームの床部ＦＬ側に配置する耐火ボードは、火災時に上下のユニットルーム間での類焼を阻止するために必要となる。
【００５１】  図１４は二段設置構造の上段側のユニットルームＵＲにおける床部ＦＬの構成例であり、木質合板４１の上下面に石膏等の無機質断熱層４２を設けた耐火ボード４Ａを床パネル材に兼用し、その木質合板４１の突出した周辺部を梁材ｇ１〜ｇ３の溝部１１に挿嵌している。しかして、溝部１１内には挿嵌された木質合板４１の周辺部を支承する棒状スペーサ４３が挿入されている。なお、この耐火ボード４Ａとは別に、仮想線で示す中空パネル材３や中実平板材を床パネル材として上位に配設してもよい。しかるに、実施形態のように耐火ボードを上段のユニットルームの床パネルに兼用すれば、それだけ部材コストが低減すると共に、ユニットルームの組立製作の手間も少なくなる。また、耐火ボードとしては、木質合板４１の下面側のみに無機質断熱層４２を設けたものも使用できる。
【００５２】  図１５は二段設置構造の下段側のユニットルームＤＲや二段設置しないユニットルームにおける床部ＦＬの構成例であり、厚い木質合板からなる床パネル材４Ｂが、梁材ｇ１〜ｇ３の溝部１１に嵌装した多数の受け金具７Ｃに周辺部を支承される形で配置している。なお、この受け金具７Ｃは、溝入りナット７Ａと同様形状の頭部７３に軸部７４が一体形成され、該軸部７４から頭部７３にわたって貫通するねじ孔７５にロックねじ７６が螺挿されており、頭部７３を溝部１１内にスライド挿嵌して該溝部１１から軸部７４が突出した状態で、ロックねじ７６を締め付けることによって当該溝部１１に固定できるようになっている。
【００５３】  一方、ルーム骨格２の前後方向に沿う上下左右４本の梁材ｇ１には、両端にねじ部９ａ，９ｂを有する連結ロッド９が各々の押出型材１の中空部１０内を貫通して挿通されている。この連結ロッド９の前端側は、図１６（ａ）で示すように、押出型材１の端面１ａから突出して出入口開口部ＥＮの化粧枠５の鋼製チャンネル材からなるベースフレーム５１を貫通しており、そのねじ部９ａに当板２４及びワッシャー２３ａを介してナット２３が螺着されている。また、該連結ロッド９の後端側は、同図（ｂ）（ｃ）で示すように、押出型材１の端面１ａに当てがった鋼材製の縦長矩形の受け材２５を貫通して、そのねじ部９ｂが該受け材２５に溶接一体化された固定ナット２６に螺挿している。
【００５４】  そして、各連結ロッド９の後端側のねじ部９ｂを受け枠２５の固定ナット２６に螺挿した状態で、前端側のねじ部９ａに螺着したナット２３を締め付けることにより、化粧枠５のベースフレーム５１と受け材２５との間でルーム骨格２の全体が前後方向に強固に引き締められ、もってルーム骨格２の組み付け強度が格段に増大する。なお、化粧枠５側ではベースフレーム５１の外側に被せる外装枠５２の四隅に膨出した化粧カバー部５ａを有しており、該化粧カバー部５ａによって各連結ロッド９の前端側のねじ部９ｂとナット２３の螺合部分が隠されるようになっている。また、後部側の受け材２５は、固定ナット２６から離れた端部側に貫通させたロックボルト２７を、柱材ｐ１の溝部１１に挿嵌した溝入りナット７Ａに螺着することにより、前端側のナット２３を締め付ける際の共回りを防止している。
【００５５】  上記構成のユニットルームＲでは、溝部１１付きの押出型材１からなる横長直方体形状のルーム骨格２に、パネル材３，４を嵌装して天井部ＣＥ及び床部ＦＬと壁部ＳＷ，ＲＷを構成するから、従来のようにルーム本体と支持フレームとを別個に構築して組み付ける必要がない上、ルーム骨格２において相互に直角に配置する押出型材１の端部同士を連結固定する際、該押出型材１に対して穴明け、切除、切込み、ねじ切り等の機械的加工を施す必要がなく、押出型材１相互の奥広の溝部１１に挿嵌する溝入りナット７Ａ，７Ｂやインナージョンイント８等のねじ止め金具を利用し、ねじ締め操作だけで極めて簡単且つ確実に連結固定でき、しかも天井部ＣＥ及び壁部ＳＷ，ＲＷを構成する中空パネル材３は四周の突縁部３１、３２を押出型材１の溝部１１に挿嵌するだけでよいから、その組み立てならびに設置場所への据え付けを少ない労力で容易に極めて能率よく短時間で行える。
【００５６】  そして、このユニットルームＲにあっては、天井部ＣＥ及び壁部ＳＷ，ＲＷが中空パネル材３からなるため、高い防音性及び断熱性が得られることに加え、該パネル材３の四周の突縁部３１，３２が押出型材１の溝部１１に挿嵌されて室内外を通じる隙間を生じないから、内外間の光漏れや隙間風が完全に防止され、もって特にカプセルベッドの個室空間として非常に優れた居住性を確保できる。また、押出型材１の溝部１１や中空部１０を利用してルーム内の様々な部位への配線を露呈しない形で行えると共に、ルーム骨格２の各部の押出型材１ならびに各面の中空パネル材３の共通化により、部材コスト及び部材管理コストの低減を図り得る。
【００５７】  なお、ルーム骨格２の各部を構成する押出型材１は、既述したアルミニウム又はその合金の如き軽金属押出型材が最適であるが、合成樹脂やセラミックの押出型材も使用可能である。しかして、このような押出型材１としては、実施形態で例示した以外の様々な断面形状を有するものを使用できると共に、溝部１１の条数と形成位置についても種々設定できる。ただし、実施形態のように、ルーム骨格２の柱材ｐ１，ｐ２及び梁材ｇ１〜ｇ４が複数条の溝部１１を有する同一断面形状の押出型材１からなる場合、ルーム骨格２全体を単一の原材より安価に構築できると共に、組立に際して押出型材１の長さを合わすだけで前後左右及び上下の使い分けを行わずに済むから、組立作業の労力が大幅に軽減する。特に、該押出型材１として、断面外形が縦横比２／１の長方形で、幅狭の各側面に１条の溝部、広幅の各側面に２条の溝部を有するものを使用すれば、ルーム骨格２の構成部位による利用溝部の向き及び溝部本数の違いに容易に対応できると共に、反転しても同形になるから、ルーム骨格２の組み立てに際して使い勝手がよい。更に、押出型材１として、幅方向中央部に溝部１１に対して非連通の中空部１０を有するものを用いれば、該中空部１０を前記連結ロッド９の挿通部や配線空間として利用できると共に、当該押出型材１自体も高強度になるという利点がある。
【００５８】  一方、中空パネル材３としては、例示した合成樹脂やＦＲＰのブロー成形品が好適であるが、種々の合成樹脂やＦＲＰ（樹脂含浸織布を含む）によって該中空パネル材３を厚み方向に半割したトレー状の成形品を作製し、その２枚を接合して中空パネル材３を作製してもよい。しかして、該中空パネル材３としては、四周の全部が平坦な突縁部３１であるものも使用可能である。ただし、実施形態のように、中空パネル材３の先太の突縁部３２を押出型材１の奥広の溝部１１に対して垂直方向には離脱不能に挿嵌すれば、人が強く凭れ掛かったりしてパネル面に大きな力が加わっても、該中空パネル材３がルーム骨格２から外れる懸念がなく、カプセルベッドとして高い信頼性が得られる。また、逆に四周の全部が先太の突縁部３２であるものも使用可能であり、この場合にはパネル材３がルーム骨格２により強固に保持されることになるが、四周の先太の突縁部３２の全部を押出型材１の溝部１１に一端側からスライド挿嵌させる上で、ルーム骨格２の各部の押出型材１と中空パネル材３の組み付け手順が非常に複雑になるという難点がある。
【００５９】  ルーム骨格２の柱材ｐ１，Ｐ２及び梁材ｇ１〜ｇ４の相互の連結に用いるねじ止め金具としては、例示した溝入りナット７Ａ，７Ｂやインナージョイント８に限らず、押出型材１の溝部１１に対してスライド挿嵌できて且つ垂直方向には離脱不能となる形態であるか、更には溝部１１対して垂直方向に挿入後に旋回（一般的に９０度旋回）させることで離脱不能になる形態で、ねじ止め固定できるものであればよい。例えば、溝入りナットとは逆に、頭部を溝部１１内に挿嵌してねじ軸部を該溝部１１から突出させる溝入りボルト７Ｄ（図１８参照）も利用できる。また、これらねじ止め金具と組み合わせて使用する連結具としても、例示した外付けＬ字金具６やＬ字形当て板２１以外の種々の形態のものを使用できる。
【００６０】  ところで、カプセルベッドは上下二段に設置するのが一般的であるが、上記実施形態のユニットルームＲは二段設置に対する適用性にも優れている。例えば、図１７は二段設置構造において左右二列の４基のユニットルームＲを一まとめにした構成を示す。この構成の場合、上段のユニットルームＵＲに出入りする際に掴まる手摺り５３が当該ユニットルームＵＲにおける化粧枠５のベースフレーム５１の縦部分に取り付けられると共に、上段のユニットルームＵＲに対する昇降のためのステップ５４Ａ〜５４Ｃが下段の両側のユニットルームＤＲの両ベースフレーム５１の並列する縦部分にわたって取り付けられている。しかして、各ユニットルームＲ（ＵＲ，ＤＲ）の化粧枠５のベースフレーム５１は、高強度の鋼材製であって、且つ上下左右の梁材ｇ１に挿通させた連結ロッド９によってルーム骨格２の後部側に配置する鋼材製の受け材２５に連結して支持強度にも優れるから、これに取り付けた手摺り５３やステップ５４Ａ〜５４Ｃに大きな取付強度及び支持強度を確保でき、使用者の体重が掛かるこれら付属物に高い信頼性を付与できる。
【００６１】  二段設置構造における上段のユニットルームＵＲは、図１８（ａ）（ｂ）で示すように、若干浮かせた状態で下段のユニットルームＤＲに支承されている。その手順は、まず上段のユニットルームＵＲの下側左右の梁材ｇ１における下面側の溝部１１に複数の溝入りボルト７Ｄの頭部７６をスライド挿嵌し、各溝入りボルト７Ｄの下方突出するねじ軸部７７にナット７８を螺合緊締することにより、当該溝入りボルト７Ｄを溝部１１の所定位置で固定すると共に、そのねじ軸部７７の下部にナット７８を螺合しておく。そして、この上段のユニットルームＵＲを下段のユニットルームＤＲ上に運び込み、各溝入りボルト７Ｄのねじ軸部７７を下段のユニットルームＤＲの上側左右の梁材ｇ１における上面側の溝部１１に差込み、それに螺合したナット７８を該溝部１１に跨がせて当接することにより、上段のユニットルームＵＲの荷重を下段のユニットルームＤＲに支承させる。しかして、溝入りボルト７Ｄにおけるナット７８の螺合高さを変えることにより、上段のユニットルームＵＲの浮かせ高さを調整できる。
【００６２】  また、上記の二段設置に際しては、図１８（ａ）（ｃ）で示すように、下段のユニットルームＤＲの前部上側の梁材ｇ２上にＬ字状の位置決め板２８を取り付けておき、その上に運び込まれる上段のユニットルームＵＲの前部下側の梁材ｇ２を該位置決め板２８の垂直片２８ａの前面に接当することにより、上段のユニットルームＵＲの前後方向の位置決めを行うようにしている。しかして、位置決め板２８は、その水平片２８ｂに貫通させた取付ボルト２７を、梁材ｇ２の溝部１１内に挿嵌した溝入りナット７Ｂに螺合緊締することにより、下段のユニットルームＤＲ側に取り付けると共に、同様に位置決め後の上段のユニットルームＵＲの梁材ｇ２に対し、垂直片２８ａに貫通させた取付ボルト２７を、梁材ｇ２の溝部１１内に挿嵌した溝入りナット７Ｂに螺合緊締することにより、上段のユニットルームＵＲに対しても連結固定する。
【００６３】  なお、カプセルベッドの出入口開口部には遮蔽用として一般的に巻き上げ式の緞帳が設けられるが、この発明のユニットルームＲの出入口開口部ＥＮにあっては、ルーム骨格２を構成する押出型材１の溝部１１をガイドレールとして開閉するカーテンや折付け式シャッターを簡単に取り付けることができる。また、横入口型のユニットルームとして、例えば図１９（ａ）（ｂ）に示すように、ユニットルームＵＲの長手方向に沿う一面全体を開放し、その上下の梁材ｇ１を構成する押出型材１の溝部１１をガイドレールとして左右に伸縮開閉する把手５７ａ付きの蛇腹式シャッター５７を取り付け、その開閉によって開放幅を自由に変え得ると共に、全面遮断を行えるように構成してもよい。図中の符号５５は、上段のユニットルームＵＲの出入口部分に設けるフロントステップ５６の支持枠であり、上下段のユニットルームＵＲ、ＤＲにおける梁材ｇ１の溝部１１を利用して、該溝部１１に挿嵌したねじ止め金具（図示省略）を介してねじ止めされている。
【産業上の利用の可能性】
【００６４】  この発明に掛かるユニットルームは、特に簡易宿泊用のカプセルベッドとして好適であるが、カプセルベッド以外に就寝、休憩、災害時の一次避難、特殊環境での居住等に利用する種々の個室空間を構成するのにも利用できる。
【符号の説明】
【００６５】１・・・・・押出型材
１ａ・・・・端面
１０・・・・中空部
１１・・・・溝部
１１ａ・・・突縁部
２・・・・・ルーム骨格
２３，２６・ナット
２７・・・・鋼材製受け材
３・・・・・中空パネル材
３０・・・・パネル本体部
３１・・・・平坦な突縁部
３２・・・・先太の突縁部
４，４Ｂ・・床パネル材
４Ａ・・・・耐火ボード
４１・・・・木質合板
４２・・・・無機質断熱層
５・・・・・化粧枠
５１・・・・ベースフレーム（鋼材製受け材）
５７・・・・シャッター
６・・・・・外付けＬ字金具
７Ａ，７Ｂ・溝入りナット（ねじ止め金具）
８・・・・・インナージョイント（ねじ止め金具）
９・・・・・連結ロッド
９ａ，９ｂ・ねじ部
Ｒ・・・・・ユニットルーム
ＵＲ・・・・上段のユニットルーム
ＤＲ・・・・下段のユニットルーム
ＥＮ・・・・出入口開口
ＣＥ・・・・天井部
ＳＷ・・・・側壁部
ＲＷ・・・・後壁部
ＦＬ・・・・床部
ｇ１〜ｇ４・梁材
ｐ１，ｐ２・柱材
【図１】
2010242478.tif 000003
【図２】
2010242478.tif 000004
【図３】
2010242478.tif 000005
【図４】
2010242478.tif 000006
【図５】
2010242478.tif 000007
【図６】
2010242478.tif 000008
【図７】
2010242478.tif 000009
【図８】
2010242478.tif 000010
【図９】
2010242478.tif 000011
【図１０】
2010242478.tif 000012
【図１１】
2010242478.tif 000013
【図１２】
2010242478.tif 000014
【図１３】
2010242478.tif 000015
【図１４】
2010242478.tif 000016
【図１５】
2010242478.tif 000017
【図１６】
2010242478.tif 000018
【図１７】
2010242478.tif 000019
【図１８】
2010242478.tif 000020
【図１９】
2010242478.tif 000021